(57)【要約】  【課題】  使用勝手が良好な引出し用筆記具トレー装置を提供する。  【解決手段】  平面視ほぼ直角状の隅部ａを備えた底板１の周端に起立片２ａ，２ｂ，２ｃを設けて筆記具収容部３Ａとした主体枠Ａａを、机Ｄの天板Ｄａで構成する開口部１に摺嵌した引出しＢの側壁板１２と前壁板１３とで成る隅角部ｂに係合する。また、主体枠Ａａの前記隅部ａを介して隣接する、前記起立片の各部の上端にそれぞれ設けた掛止片６，６の一方を前記側壁板２の上縁に、他方を前記前壁板１３の裏面に突設した受止縁１４にそれぞれ掛止する。【選択図】    図１
2005144941.tif 000002
【特許請求の範囲】
【請求項１】
平面視ほぼ直角状の隅部を備えた底板の周端に起立片を設けて筆記具収容部とした主体枠を、机の開口部に摺嵌した引出しの側壁板と前壁板とで成る隅角部に係合し、該主体枠の前記隅部を介して隣接する、前記起立片の各部の上端にそれぞれ設けた掛止片の一方を前記側壁板の上縁に、他方を前記前壁板の裏面に突設した受止縁にそれぞれ掛止した、引出し用筆記具トレー装置。
【発明の詳細な説明】
【技術分野】
【０００１】
本発明は、筆記具使用時にはトレーを机上に載置して筆記具の整理と共にその紛失を防ぎ、不使用時には該トレーを引出し内に納めるようにした引出し用筆記具トレー装置に関するものである。
【背景技術】
【０００２】
引出し用筆記具トレーは、長方形状で成り、引出し内に納めておく場合は、概し、引出しの側壁板の上縁に長手側の両端を掛止させておくのが一般であるが、両端を相対する側壁板の上縁に受支させるため、当該引出しの幅に対応するトレーを用意する必要があり、従って、幅の異なる引出し（机）には対応できないため、個々の引出しに対応するトレーを準備しなければならず、経済的でない。
【０００３】
他方、ボタン等の小物入れとして平面視三角形状の容器体と成し、これを引出しの側壁板と前壁板とが成す隅角部に係合する構造にしたものがあり（例えば、特許文献１）、これは、相対する側壁板の上縁を利用しないという点で、いずれの引出しにも適用できる利点がある。
【０００４】
【特許文献１】実公平４−２０２６５号公報
【発明の開示】
【発明が解決しようとする課題】
【０００５】
しかしながら、前記文献記載の従来例は、引出しの底壁板上に載せて引出し内に収納するようにしてボタン等の小物を収容するようにしたもので、前記の通り、引出しの底壁板上に直接載せるため、例えば、紙シートの収容に際しては収容面積がその分狭くなり支障を来たす。
【課題を解決するための手段】
【０００６】
平面視ほぼ直角状の隅部を備えた底板の周端に起立片を設けて筆記具収容部とした主体枠を、机の開口部に摺嵌した引出しの側壁板と前壁板とで成る隅角部に係合し、該主体枠の前記隅部を介して隣接する、前記起立片の各部の上端にそれぞれ設けた掛止片の一方を前記側壁板の上縁に、他方を前記前壁板の裏面に突設した受止縁にそれぞれ掛止した構成としたものである。
【０００７】
なお、実施例で示すように、筆記具トレーを全体として平面視ほぼ三角形状にし、直角状の隅部を介して隣接する起立片部に設けた掛止片を、前記隅部よりできるだけ離開させた位置に設けることにより（隅部位置にあっても不都合はないが）、筆記具収容状態で安定的に引出しに納めておくことができる。
【発明の効果】
【０００８】
本発明によれば、掛止片を引出しの側壁板と前壁板の裏面に突設した受止縁に掛止させ引出し内に納めるものであるから、引出しの横幅と無関係に、すなわち、いずれの幅の引出しにも適用でき、左右勝手自在に収容位置を変えられ、使用上良好な筆記具トレー装置を提供できる。
【０００９】
そして、引出し内に納めた状態にあっては、引出しの底壁上に直接載置する引出しとの組合わせ関係を採るものでないから、該底壁とトレー（トレーの底壁板）との間に多少の隙間を形成させ、該隙間を利用して物品、例えば紙シートを支障なく収容することができる。
【実施例】
【００１０】
図面は本発明に係る引出し用筆記具トレー装置の一実施例を示し、図１は引出しとの関係を示す一部欠截平面図、図２は図１のａ−ａ線断面図、図３は図１のｂ−ｂ線断面図、図４は引出し用筆記具トレーの平面図、図５は引出し用筆記具トレーの正面図である。
【００１１】
図中、Ａは合成樹脂で構成した筆記具用トレーで、筆記具用トレーＡは、三角形の直角状の一隅ａを曲縁状に、他の二隅を互いに対向する直縁状にした、平面視ほぼ五角形状の底板１の周端、各辺部に、互いに連続する起立片２ａ，２ｂ，２ｃを設けて物品収容部３を設け主体枠Ａａとし、該主体枠Ａａの前記起立片２ａ，２ｂ，２ｃのそれぞれの上端を、前記物品収容部３の外方へ屈曲状にして上板４を連設して全体として平面視ほぼ三角形状にすると共に、前記上板４の、前記直角状の一隅ａを介して互いに隣接する前記起立片２ａ，２ａに沿う部分を掛止片６とし、掛止片６の前記起立片２ａに沿う各自由端６´には下方に折り曲げ状にして折り曲げ部片６ａを設け、該折り曲げ部片６ａ，６ａに部分的に突片７，７を互いに対称位置に設けて構成したものである。
【００１２】
なお、前記起立片２ａ，２ａ間には前記直角上の一隅ａ部と対向位置に存する前記起立片２ｃと平行位置にして区画片２ｄを底板１上にして立設して、前記物品収容部３を筆記具収容部３Ａとクリップなどの小物収容部３Ｂとに区画してあるが、区画片２ｄは省略しても差し支えがないことは勿論である。
【００１３】
実施例の引出し用筆記具トレーＡは、机Ｄの天板Ｄａを構成材として机Ｄに設けた開口部１１に係合して前記天板Ｄａ直下に摺嵌する（引き出し自在に収容する）引出しＢの側壁板１２の上縁１２ａに一方の掛止片６を、前壁板（鏡板）１３の裏面に突設した受止縁１４に他の一方の掛止片６側の折り曲げ部片６ａをそれぞれ受支させるようにして、前記側壁板１２と前記前壁板１３とが成す平面視直角状の隅角部ｂに係合して前記引出しＢ内に収容、組合わせるようにしたものである。
【００１４】
なお、実施例の場合、前壁板１３の金属製の構成板１３Ａの一部を、引出し内側方向に打出すようにして前記受止縁１４を設け、該受止縁１４と構成板１３Ａとの間に、折り曲げ部片６ａに設けた前記突片７の挟入間隙９を設けて、該挟入間隙９に突片７を挟入間隙９に挟入することによりトレーＡの引出しＢ奥行方向の移動を規制してトレーＡの正位置を保持するようにしているが、この挟入間隙９およびトレーＡ側の突片７は省略しても不都合はない。
【００１５】
また、実施例は、左右勝手いずれか選択した一方側の折り曲げ部片６ａが前記受止縁１４上に受止されて、トレーＡは引出しＢに納められるが、受止縁１４は複数個設けても良い。実施例の場合は、引出しの左右方向の中央位置に設けて、単一な受止縁１４乃至挟入間隙９を利用してトレーＡを図１の実線および鎖線で示すように引出しＢの左右勝手いずれかに納めるようにしている。
【００１６】
図示１８は、上板４に設けた透孔で、該透孔１８を挿通させて引出しＢの底壁板１５上に筆記具を受支させるようにして起立させ、現に使用中の筆記具の一時的な保管部として利用するようにしたものである。
【図面の簡単な説明】
【００１７】
【図１】引出しとの関係を示す一部欠截平面図。
【図２】図１のａ−ａ線断面図。
【図３】図１のｂ−ｂ線断面図。
【図４】引出し用筆記具トレーの平面図。
【図５】引出し用筆記具トレーの正面図。
【符号の説明】
【００１８】
１                底板
２ａ，２ｂ，２ｃ  起立片
３Ａ              筆記収容部
６                掛止片
１１              開口部
１２              側壁板
１３              前壁板
１４              受止縁
【図１】
2005144941.tif 000003
【図２】
2005144941.tif 000004
【図３】
2005144941.tif 000005
【図４】
2005144941.tif 000006
【図５】
2005144941.tif 000007